(57)【要約】【課題】手軽に天井や蛍光灯等の高所に付着した塵・すすや蜘蛛の巣を、空中に飛散させずに除去する清掃用具とその清掃用具を再使用するための清掃用はたきセットの提供である。【解決手段】毛ばたきは、塵・すす等の箇所に毛先を軽く押しあてて、小刻みに震わせることで塵・すすと等を確実に絡め取ってしまい空中に舞い上がらせることがないことに特徴がある。この毛ばたきを高所にて使用するためには、わざわざはしごを用意するまでもなく、高さにあわせて使用できる伸縮自在な竿の先端にこの毛ばたきを付けることにより可能である。また、各種の毛ばたきを試してみると、鳥の羽を使用した毛ばたきに比べ、プラスチック製の毛ばたきの方が価格も安く、静電気を帯やすく塵・すす等を絡め取ってしまう傾向があることが分かった。さらにヘアーブラシ等で毛ばたきに付着した塵・すすや蜘蛛の巣を除去することができ、毛ばたきの再利用も可能である。【選択図】図７
0003140529.tif 000002
【実用新案登録請求の範囲】
【請求項１】
伸縮自在な竿の先端に毛ばたきを装着させた清掃用はたき。
【請求項２】
伸縮自在な竿の先端に毛ばたきを装着させるための装着用具を絶縁体とした請求項１の清掃用はたき。
【請求項３】
プラスチック素材の毛ばたきを用いた請求項１または請求項２の清掃用はたき。
【請求項４】
請求項１ないし請求項３の清掃用具とヘアーブラシを一組にした清掃用はたきセット。
【考案の詳細な説明】
【技術分野】
【０００１】
本考案は、手軽に天井等の高所に付着した塵や蜘蛛の巣を清掃するはたきと、このはたきを手入して再使用するためのブラシに関する。
【背景技術】
【０００２】
コンビニエンスストア等は、そのイメージの維持・向上のためにも、店内を常に清潔に維持することが重要である。天井の塵・すすや蛍光灯に付着する蜘蛛の巣等は、店のイメージをダウンさせるため、常に清掃する必要がある。しかし、これらの除去のためには、高所のため、その都度はしごを用意したり、また塵等が店内に飛散することを防ぐため、塵等を吸引させる電気掃除機等を使用する必要があるなどして、その作業が手軽にできないという問題点がある。こうした清掃作業は、お客が店内にいた場合などは不快感を与えるため、できるだけお客のいない時間にする必要がある。しかしコンビニエンスストアの特徴の一つとして営業時間が長いこともあり、こうした清掃時間をなかなか取れないのが現状である。
【０００３】
長年に渡りコンビニエンスストアを経営してきた本考案者は、天井や蛍光灯に付着している塵・すすや蜘蛛の巣を手軽に除去し、それも空中に塵・すす等を飛散させない方法はないかと考えていた。昔からの竹の柄に布切れを付けたはたきでは、はたくことで塵・すす等を空中に舞い上がらせてしまい陳列された商品に塵・すす等を付着させる結果となり、適切な清掃用具とは言えず、吸引させる掃除機では、はしごなどを用意する必要があり手軽に清掃することができない。
【０００４】
そこで思いついたのが毛ばたきを使用することであった。毛ばたきは、塵・すす等の付着した箇所に毛先を軽く押しあてて、小刻みに震わせることで塵・すす等を絡め取ってしまい、空中に舞い上がらせることがないためである。さらにこの毛ばたきを高所にて使用するためには、わざわざはしごを用意するまでもなく、高さにあわせて使用できる伸縮自在な竿の先端にこの毛ばたきを付けることにより可能である。また、各種の毛ばたきを試してみると、羽毛を使用した毛ばたきに比べ、プラスチック製の毛ばたきの方が価格も安く、さらに静電気を帯やすく塵・すす等を容易に絡め取ってしまう傾向があることが分かった。
【０００５】
一方蜘蛛の巣は、粘着性があり天井等に生じた蜘蛛の巣を毛ばたきにて容易に清掃できるが、逆に毛ばたきに付着した蜘蛛の巣を除去して、毛ばたきを再利用することが難しい。こうした清掃用具は毎日使用するものであり、できれば再生して再利用することが望ましい。考案者は、目の粗い簡単なヘアーブラシで毛ばたきを梳くようにすると毛ばたきから蜘蛛の巣や塵・すすが除去しやすく、使用した毛ばたきを再利用できることを経験的に知った。
【０００６】
こうして、考案者は、コンビニエンスストア店内の天井部や蛍光灯等の高所に付着した塵・すすや蜘蛛の巣を、空中に飛散させずに手軽に清掃するための清掃用具として、伸縮自在な竿の先端に毛ばたきを装着させた清掃用はたきを使用することを思いついた。また使用して、塵・すすや蜘蛛の巣が絡みついた毛ばたきをヘアーブラシで梳かして塵・すすや蜘蛛の巣を取り除き再使用するようにし、この清掃用はたきとヘアーブラシを一セットとして準備するようにした。
【０００７】
清掃用具としての毛ばたきはインターネット上でも多くの製品が紹介されているが、それらは、各種の鳥の羽毛を使用した比較的高価な毛ばたきが主である。また本考案に関する先行技術を調べると、以下のようなものがある。断面扁平な柄の一端に先端を所定の幅で切れ目を入れたペーパー状化学雑巾をたたんで形成した着脱自在に固着した穂先交換可能なはたき(特許文献１)、建物の高所にある窓ガラス等を清掃するため、把持部材に自在に折り曲げ可能でしかも任意の形状で固定することができる棒状または筒状の可撓性部材を介して清掃具を取り付ける清掃用具(特許文献２)さらには使用箇所に応じた毛部長さに調整し不使用時には毛部を外被させずに保管できる毛ばたき（特許文献３）等がある。
【０００８】
【特許文献１】実用新案登録第3039598
【特許文献２】実用新案登録第3120127
【特許文献３】実用新案公開平7-20159
【０００９】
特許文献１では、使用するのは交換可能なはたきであり、毛ばたきを使用するものではない。特許文献２では高所を清掃するため棒状または筒状の可撓性部材を介して清掃具を取り付けた清掃用具であり、清掃具として毛ばたきを用いることに限定されていない。また、特許文献３は毛ばたきの構造等に関する技術であり本考案と直接的な関係はない。
【考案の開示】
【考案が解決しようとする課題】
【００１０】
本考案が解決しようとする問題点は、手軽に天井や蛍光灯等の高所に付着した塵・すすや蜘蛛の巣を、空中に飛散させずに除去する清掃用具とその清掃用具を再使用するための用具である。
【課題を解決するための手段】
【００１１】
すなわち、請求項１の考案は、伸縮自在な竿の先端に毛ばたきを装着させた清掃用はたきである。伸縮自在な竿とは、何本かの竿を継いで使用する継竿や、中空になった竿の中に細い竿が仕込まれこれを引っ張り出すと長くなる振り出し竿等があり、釣り用などの用途は別として、伸縮自在な棒状のものであれば伸縮自在な竿とする。毛ばたきとは、昔からの竹の柄に布切れを付けたはたきではなく、鳥の羽毛あるいはプラスチック繊維等を中芯となる柄に植えつけたものであり、塵・すす等を絡め取ることができるものである。毛ばたきの一例として羽毛の毛ばたきを図１に、プラスチック製の毛ばたきを図２に示す。装着させるとは、竿の先端に毛ばたきを取り付けて一体化することをいい、クリップで係止すること、竿の先端と毛ばたきの把持部分をテープで巻いて取り付けることも装着に含まれる。こうした装着するものを装着用具とする。また、毛ばたきと伸縮自在な竿とを装着用具で一体化して天井等の高所を清掃する用具を清掃用はたきとする。
【００１２】
請求項２の考案は、伸縮自在な竿の先端に毛ばたきを装着させるための装着用具を絶縁体とした請求項１の清掃用はたきである。竿の先端に毛ばたきを装着させる方法は前述のように数多くある。本考案では竿の先端と毛ばたきを一体化させる装着用具を用意するとともに、その装着用具に絶縁体を用いるものである。蛍光灯等を清掃する際に、導電性の伸縮自在な竿の先端が蛍光灯等の電源に接触し感電することを防止するためである。装着用具としては、竿の先端と毛ばたきの把持部を嵌合させるプラスチック製、ゴム製の筒状のものあるいは双方を係止するためのネジ山をつけた物等がある。しかし、装着用具としての形体はこれに限るものではなく、伸縮自在な竿と毛ばたきを一体とさせるもので絶縁体であれば足りる。
【００１３】
請求項３の考案は、プラスチック素材の毛ばたきを用いた請求項１または請求項２の清掃用はたきである。プラスチック素材を用いたのは、羽毛に較べプラスチックは静電気が生じやすく、塵・すす等が毛ばたきに絡め取りやすいためである。
【００１４】
請求項４の考案は、請求項１ないし請求項３の清掃用具とヘアーブラシを一組にした清掃用はたきセットである。ヘアーブラシは、毛ばたきに絡みついた塵・すすや蜘蛛の巣を除去するものであり、図３に示す安価な簡単なヘアーブラシで足りる。また図４に示す円形状のシャンプーブラシでも良い。なお、シャンプーブラシもヘアーブラシに含まれるものとする。
【考案の効果】
【００１５】
請求項１の考案は、手軽に天井や蛍光灯等の高所に付着した塵・すすや蜘蛛の巣を、空中に飛散させずに除去する清掃用具を提供するものである。請求項２の考案は、絶縁体の装着用具を竿の先端に付けることにより導電性の竿を用いての清掃の際に感電を防ぐためである。請求項３の考案は、プラスチック製の毛ばたきとしたのは、プラスチック製の方が羽毛に較べ静電気が生じやすく、塵・すす等を吸着し、かつ価格も安いためである。請求項４の考案は、清掃用はたき、装着用具、ヘアーブラシをまとめて１セットとし、清掃用はたきセットとして提供するためである。
【考案を実施するための最良の形態】
【００１６】
以下に本考案を実施するための例を挙げる。
【実施例１】
【００１７】
図５は、一般市販品の毛ばたき１の概略図である。この毛ばたきの柄１２を釣竿の先端３３とともに装着具であるゴムひも２１で巻きつけ一体化したものである。釣竿の先端部分３３は弾力性を有しているが折れやすい。図６は先端部が折れたいわゆる廃材である釣竿を再使用して清掃用はたきとしたものである。この釣竿を使用しても全長約２．５ｍとなり店内の天上面や蛍光灯の隅々まで清掃することが可能である。
【実施例２】
【００１８】
第２の実施例を図７に示す。図７の実施例では、伸縮自在な竿３として、市販のアルミ製伸縮竿３２を用いている。竿の先端３３が蛍光灯等の電源に接触しても感電を防止するため、絶縁体である円筒形のプラスチック製装着用具２２を竿の先端３３に付け、毛ばたきの柄１２をその中に挿入して竿と一体化している。このアルミ製伸縮竿３２は４節の振り出し竿があり、全長が約３ｍとなり屋根裏の塵・すすや蜘蛛の巣までも清掃することができる。
【実施例３】
【００１９】
使用して毛ばたきに付いた塵・すすや蜘蛛の巣は、図３や図４に示したヘアーブラシ等で梳かすことにより除去することができる。図２に示すようなプラスチック製の毛ばたきでは、静電気を帯びやすく、ヘアーブラシでも塵が取れにくい場合には、毛ばたき部分１１を金属に接触させ静電気を放電させることにより、塵等が除去しやすくなる場合がある。例えば、図示しないが、金属製の２０リッターカンいわゆる１斗カンをゴミ箱として、そのカンに毛ばたきを接触させながらヘアーブラシ５で梳かすことにより毛ばたきに絡められた塵・すす等を除去することができる場合がある。
【実施例４】
【００２０】
図８は、伸縮自在な竿３、毛ばたき１、装着用具２及びヘアーブラシ５を一つにまとめて清掃用はたきセット６として提供しようとするものである。
【産業上の利用可能性】
【００２１】
手軽に天井や蛍光灯等の高所に付着した塵・すすや蜘蛛の巣を、空中に飛散させずに除去する清掃用具とその清掃用具を再使用するための用具であり、使用できなくなった釣竿等を再利用して安価に製作することがでる。また、学校等の天井等も安全に清掃でき、今後の利用が期待される。
【図面の簡単な説明】
【００２２】
【図１】羽毛の毛ばたき
【図２】プラスチック製毛ばたき
【図３】ヘアーブラシ
【図４】シャンプーブラシ
【図５】毛ばたきの概略図
【図６】清掃用はたき１
【図７】清掃用はたき２
【図８】清掃用はたきセット
【符号の説明】
【００２３】
１  毛ばたき  １１  毛ばたき部分  １２  （毛ばたきの）柄  
２  装着用具  ２１  （装着用具としての）ゴムひも  ２２  プラスチック製筒状装着用具
３  伸縮自在な竿  ３１  釣竿  ３２  アルミニウム製伸縮竿  ３３  竿の先端
４  清掃用はたき
５  ヘアーブラシ
６  清掃用はたきセット
【図１】
0003140529.tif 000003
【図２】
0003140529.tif 000004
【図３】
0003140529.tif 000005
【図４】
0003140529.tif 000006
【図５】
0003140529.tif 000007
【図６】
0003140529.tif 000008
【図７】
0003140529.tif 000009
【図８】
0003140529.tif 000010